(57)【要約】      （修正有）【課題】ブラジャ−内側に取り付け、天照石から放射されるマイナスイオン、遠赤外線「育成光線」がバストの深い部分にまでエネルギー浸透するので、バストの細胞や乳腺の発達が活性化され、バストにハリを感じたり、バストアップ効果をもたらし、体のリズムや健康維持にも効果を発揮するための天昭石入りブラジャ−パットを提供する。【解決手段】複数の天昭石原料介在袋部に天照石原料７を保持できるように装着した天昭石入り左側プラパットと天昭石入り右側プラパットの二つの天昭石入りブラジャ−パットを装着したことを特徴とする。【選択図】図１
0003177854.tif 000002
【実用新案登録請求の範囲】
【請求項１】
プラパット本体に上部面布地及び下部面布地を設け、天昭石入り不織布本体に上部面不織布地及び下部面不織布地を設け、上部面不織布地と下部面不織布地の間に天照石原料を介在できる天昭石原料介在袋部を設けるように天照石原料を介在して不織布縦綴じシール部と不織布横綴じシール部を設け、天昭石原料介在袋部に天照石原料を介装するように設け、天昭石入り不織布本体の外周面には不織布外縁シール部を設け、プラパット本体に設けた上部面布地及び下部面布地との間に天昭石入り不織布本体介在し、上部面布地及び下部面布地並びに天昭石入り不織布本体を重合し外周に縁取り布を設け係止するように縫い糸にて綴じるように縫い糸で縫成するように設け、複数の天昭石原料介在袋部に天照石原料を保持できるように装着した天昭石入り左側プラパットと天昭石入り右側プラパットの二つの天昭石入りブラジャ−パット。
【請求項２】
プラパット本体の形状並びに上部面布地及び下部面布地を覆っている生地および天昭石入り不織布本体の形状は固定した形状にこだわらず、市販されている様々なブラジャ−の形状に適合するようにプラパット本体の形状を設け、プラパット本体に備えた複数の天昭石原料介在袋部に天照石原料を保持できるように装着するように設け、天昭石『国産鉱石天照石（４〜１４ミクロンの遠赤外線「育成光線」を放射する天然鉱石であり、育成光線は臨床結果は学会でも発表されてる。また天照石は人間の体に最も効果的に作用する自然のエネルギーであり生体の代謝、育成に不可欠な波長を発していることから、天照石から放射されるマイナスイオン、遠赤外線「育成光線」が放射され、バストの深い部分にまで「育成光線」が浸透するのでバストの細胞や乳腺の発達が活性化しバストにハリを感じたり、バストアップの効果引出すことができるように設けたことを特徴とする請求項１記載の天昭石入りブラジャ−パット。
【請求項３】
複数の天昭石原料介在袋部に天照石原料を保持できるように装着した天昭石入り左側プラパットと天昭石入り右側プラパットの二つの天昭石入りのプラパット本体をブラジャーの下カップの線に沿って天昭石入り左側プラパットと天昭石入り右側プラパットを身につけると天照石から放射されるマイナスイオン、遠赤外線「育成光線」が放射され、バストの深い部分にまで「育成光線」が浸透するので大胸筋を刺激して、その作用は人体から発している遠赤外線の波長と「育成光線」を放射する天然鉱石の「天照石」の放射する遠赤外線の波長が重なるときに、体内で波長が共鳴し熱に変り、その熱が人の血液などによって体の内部に伝わり体を芯から温めるため、生体の代謝が上がり身体に良いと言われ体温が上がる為乳癌予防や大胸筋が鍛えられバストのストレッチ機能効果引出すことができるように設けたことを特徴とする請求項１記載の天昭石入りブラジャ−パット。
【考案の詳細な説明】
【技術分野】
【０００１】  この考案は、健康的なバストアップを得られる為に構築するに欠かせないブラジャ−内側に取り付け、天照石から放射されるマイナスイオン、遠赤外線「育成光線」がバストの深い部分にまでエネルギー浸透するので、バストの細胞や乳腺の発達が活性化され、バストにハリを感じたり、バストアップ効果をもたらし、体のリズムや健康維持にも効果を発揮するための天昭石入りブラジャ−パットに関するものである。
【背景技術】
【０００２】  従来のバストアップのブラジャーは様々なバストアップ効果や工夫をこらしたブラジャーがあり、例えば、パワーネットやリフトアップ、そしてフィットネス効果、サイドボーン、シリコン、バックパネル、レモンパット、ワイヤーやフルカップブラ、モールドカップブラ、ストラップ調整ブラなどがあり、自分に該当するバストアップのブラジャーを見つけるには、膨大な情報収集を要した。
【考案の開示】
【考案が解決しようとする課題】
【０００３】  その為に次のような問題点があった。
自分にあった製品を探すのは金と試着を時間を要し、どうしても試してみないとわからないのが現実です。バストケアーブラジャーは様々な下着メーカーが開発を進めており、各下着の機能を理解し、自分自身にあうブラジャーを選択し手に入れるのは容易では有りません。また胸を寄せて谷間を作りたい肩、バストが小さい方、上向きのバストになりたい方、バストが下垂気味の方、バストの位置を上げて高さが欲しい方、安定感が良く、バストを強力にサポートしたい方など等、健全なバストケアーブラジャーを身につけることができないと、自身の健康にも影響をもたらし、ストレスを抱えることにもなるなど問題点を有します本考案は以上の問題点を解決する為になされたものである。
【課題を解決するための手段】
【０００４】  本考案は、複数の天昭石原料介在袋部に天照石原料を保持できるように装着した天昭石入り左側プラパットと天昭石入り右側プラパットの二つの天昭石入りブラジャ−パットを装着し天照石から放射されるマイナスイオン、遠赤外線「育成光線」がバストの深い部分にまでエネルギー浸透するので、バストの細胞や乳腺の発達が活性化され、バストにハリを感じたり、バストアップ効果をもたらし、体のリズムや健康維持にも効果を発揮するための天昭石入りブラジャ−パットである。
【考案の効果】
【０００５】  上述の様に、既存のブラジャ−に容易に取り付け出来るので、ブラジャ−パットに装着した天照石から放射されるマイナスイオン、遠赤外線「育成光線」がバストの深い部分にまでエネルギー浸透するので、バストの細胞や乳腺の発達が活性化され、バストにハリを感じたり、バストアップ効果をもたらし、体のリズムや健康維持にも効果を発揮できる。
【考案を実施するための最良の形態】
【０００６】以下本考案の実施の形態について説明する。
（イ）プラパット本体（１）に上部面布地（９）及び下部面布地（１０）を設け、天昭石入り不織布本体（２）に上部面不織布地（１１）及び下部面不織布地（１２）を設ける。
（ロ）上部面不織布地（１１）と下部面不織布地（１２）の間に天照石原料（７）を介在できる天昭石原料介在袋部（１３）を設けるように天照石原料（７）を介在して不織布縦綴じシール部（６）と不織布横綴じシール部（５）を設ける。
（ハ）天昭石原料介在袋部（１３）に天照石原料（７）を介装するように設け、天昭石入り不織布本体（２）の外周面には不織布外縁シール部（４）を設ける。
（ニ）プラパット本体（１）に設けた上部面布地（９）及び下部面布地（１０）との間に天昭石入り不織布本体（２）介在し、上部面布地（９）及び下部面布地（１０）並びに天昭石入り不織布本体（２）を重合し外周に縁取り布（３）を設け係止するように縫い糸（８）にて綴じるように縫い糸（８）で縫成するように設ける。
（ホ）複数の天昭石原料介在袋部（１３）に天照石原料（７）を保持できるように装着する。
本考案は、以上の構造でこれを使用するときは、
天昭石入り左側プラパット（１４）と天昭石入り右側プラパット（１５）の二つの天昭石入りブラジャ−パットをプラパット本体（１）をブラジャー（１６）の下カップ（１７）の線に沿って天昭石入り左側プラパット（１４）と天昭石入り右側プラパット（１５）を身につけるとブラジャ−パットに装着した天照石から放射されるマイナスイオン、遠赤外線「育成光線」がバストの深い部分にまでエネルギー浸透するので、バストの細胞や乳腺の発達が活性化され、バストにハリを感じたり、体のリズムや健康維持にも効果を発揮し、バストアップ効果をもたらす。
【図面の簡単な説明】
【０００７】
【図１】本考案の実施の形態に係るプラパット本体を示す断面図から示す斜視図
【図２】本考案の実施の形態に係る拡大断面図
【図３】本考案の天昭石入りプラパット本体を示す斜視図
【図４】本考案の実施の形態に係る天昭石入りプラパット本体を示す斜視図
【図５】本考案の実施状態を示す写真から示す斜視図
【図６】本考案の実施状態を示す写真から示す斜視図
【図７】本考案の使用状態を示す斜視図
【符号の説明】
【０００８】  １  プラパット本体
２  天昭石入り不織布本体
３  縁取り布
４  不織布外縁シール部
５  不織布横綴じシール部
６  不織布縦綴じシール部
７  天昭石原料
８  縫い糸
９  上部面布地
１０  下部面布地
１１  上部面不織布地
１２  下部面不織布地
１３  天昭石原料介在袋部
１４  天昭石入り左側ブラパット
１５  天昭石入り右側プラパット
１６  ブラジャー
１７  下カップ
【図１】
0003177854.tif 000003
【図２】
0003177854.tif 000004
【図３】
0003177854.tif 000005
【図４】
0003177854.tif 000006
【図５】
0003177854.tif 000007
【図６】
0003177854.tif 000008
【図７】
0003177854.tif 000009
【手続補正書】
【提出日】平成24年6月4日(2012.6.4)
【手続補正１】
【補正対象書類名】実用新案登録請求の範囲
【補正対象項目名】全文
【補正方法】変更
【補正の内容】
【実用新案登録請求の範囲】
【請求項１】
ブラパット本体に上部面布地及び下部面布地を設け、天昭石入り不織布本体に上部面不織布地及び下部面不織布地を設け、上部面不織布地と下部面不織布地の間に天照石原料を介在できる天昭石原料介在袋部を設けるように天照石原料を介在して不織布縦綴じシール部と不織布横綴じシール部を設け、天昭石原料介在袋部に天照石原料を介装するように設け、天昭石入り不織布本体の外周面には不織布外縁シール部を設け、ブラパット本体に設けた上部面布地及び下部面布地との間に天昭石入り不織布本体介在し、上部面布地及び下部面布地並びに天昭石入り不織布本体を重合し外周に縁取り布を設け係止するように縫い糸にて綴じるように縫い糸で縫成するように設け、複数の天昭石原料介在袋部に天照石原料を保持できるように装着した天昭石入り左側ブラパットと天昭石入り右側ブラパットの二つ組みの天昭石入りブラジャ−パット。
【請求項２】
ブラパット本体の形状並びに上部面布地及び下部面布地を覆っている生地および天昭石入り不織布本体の形状に備えた天昭石原料介在袋部枠形状等は、バストの大小に適合するように複数の形状種類を備えるように設け、ブラパット本体の大小の形状に備えた天昭石原料を保持できるように天昭石原料介在袋部を装着した事を特徴とする請求項１記載の天昭石入りブラジャ−パット。
【請求項３】
天昭石入り不織布本体に設けた天昭石原料介在袋部はバストの形状により、天昭石の効果を減少する事のないように天昭石原料介在袋部の形状の大小を設け、天昭石原料の量は天昭石原料介在袋部の大小に介装して充填したことを特徴とする請求項１記載の天昭石入りブラジャ−パット。